(57)【要約】【課題】  多重セクターを使用するヨーロッパ方式無線ＬＡＮのデータ伝送性能を正確に分析し得る無線ＬＡＮのデータ伝送性能分析方法を提供する。又、多重セクター無線ＬＡＮ環境で、アドホック（Ａｄ−Ｈｏｋ）方式を使用する場合のデータ伝送性能を正確に分析し得る無線ＬＡＮのデータ伝送性能分析方法を提供する。【解決手段】  本発明の無線ＬＡＮのデータ伝送性能分析方法は、一つのＭＡＣフレームに含まれた全てのセクタースイッチガード時間及び伝播遅延ガード時間のシンボル合計をシーリング関数処理する工程と、前記ＭＡＣフレームに設定されたシンボル個数から、前記シーリング関数処理されたシンボル個数、シグナルリングＰＤＵのシンボル個数及びＬＣＨを除いたデータＰＤＵのシンボル個数を減算する工程と、該減算結果値を利用してデータ伝送性能を表示する工程と、を順次行うことを特徴とする。【選択図】  図１
2004248294.tif 000002
【特許請求の範囲】
【請求項１】
一つのＭＡＣ（Ｍｅｄｉｕｍ  ａｃｃｅｓｓ  ｃｏｎｔｒｏｌ）フレームに含まれた全てのセクタースイッチガード時間及び伝播遅延ガード時間のシンボル合計をシーリング関数処理する工程と、
前記ＭＡＣフレームに設定されたシンボル個数から、前記シーリング関数処理されたシンボル個数、シグナルリングＰＤＵ（Ｐｒｏｔｏｃｏｌ  ｄａｔａ  ｕｎｉｔ）のシンボル個数及びＬＣＨ（Ｌｏｎｇ  ｔｒａｎｓｍｉｔ  ｃｈａｎｎｅｌ）を除いたデータＰＤＵのシンボル個数を減算する工程と、
該減算結果値を利用してデータ伝送性能を表示する工程と、を順次行うことを特徴とする無線ＬＡＮのデータ伝送性能分析方法。
【請求項２】
前記シグナルリングＰＤＵのシンボル個数は、
前記ＭＡＣフレームにセクター別に形成されたプリアンブルを有する各ＢＣＨ（Ｂｒｏａｄｃａｓｔｉｎｇ  ｃｈａｎｎｅｌ）  ＰＤＵ、プリアンブルを有する各ＦＣＨ（Ｆｒａｍｅ  ｃｈａｎｎｅｌ）及びＡＣＨ（ａｃｃｅｓｓ  ｆｅｅｄｂａｃｋ  ｃｈａｎｎｅｌ）のＰＤＵ及びプリアンブルを有する各ＲＣＨ  ＰＤＵがそれぞれ占めるシンボル個数の合計であることを特徴とする請求項１記載の無線ＬＡＮのデータ伝送性能分析方法。
【請求項３】
前記ＬＣＨを除いたデータＰＤＵのシンボル個数は、
ＬＣＨを除いたＤＬ（ｄｏｗｎ  ｌｉｎｋ）  ＰＤＵのシンボル個数及びＬＣＨを除いたＵＬ（Ｕｐ  ｌｉｎｋ）  ＰＤＵのシンボル個数の全てを含むことを特徴とする請求項１記載の無線ＬＡＮのデータ伝送性能分析方法。
【請求項４】
ＬＣＨを除いたＤｉＬ  ＰＤＵのシンボル個数を更に含むことを特徴とする請求項３記載の無線ＬＡＮのデータ伝送性能分析方法。
【請求項５】
前記ＬＣＨを除いたＤＬ  ＰＤＵのシンボル個数は、ターミナル別に受信されるプリアンブル及びＳＣＨのシンボル個数の全てを加算し、
前記ＬＣＨを除いたＵＬ  ＰＤＵのシンボル個数は、ターミナル別に送信するプリアンブル及びＳＣＨのシンボル個数の全てを加算し、
前記ＬＣＨを除いたＤｉＬ  ＰＤＵのシンボル個数は、プリアンブル及びＳＣＨのシンボル個数の全てを加算することを特徴とする請求項４記載の無線ＬＡＮのデータ伝送性能分析方法。
【請求項６】
一つのＭＡＣフレームで、シグナルリングのために割り当てられたシンボル個数と、セクター及びターミナル区分のために割り当てられたシンボル個数とを計算する工程と、
前記一つのＭＡＣフレームに割り当てられた総シンボル個数から、前記計算されたシンボル個数を減算する工程と、
該減算結果によるシンボル個数でデータ伝送性能を表示する工程と、を順次行うことを特徴とする無線ＬＡＮのデータ伝送性能分析方法。
【請求項７】
前記計算する工程は、
前記一つのＭＡＣフレームから、シグナルリングのために割り当てられた部分とセクター及びターミナル区分のために割り当てられた部分とを検出する工程と、
前記シグナルリングのために割り当てられた部分のシンボル個数を計算する工程と、
前記セクター及びターミナル区分のために割り当てられた部分のシンボル個数を計算した後、シーリング関数処理する工程と、を順次行うことを特徴とする請求項６記載の無線ＬＡＮのデータ伝送性能分析方法。
【請求項８】
前記シグナルリングのために割り当てられた部分のシンボル個数を計算する工程は、
セクター個数だけ形成されたＢＣＨ  ＰＤＵ、ＦＣＨ及びＡＣＨのＰＤＵ、ＬＣＨを除いたＵＬ  ＰＤＵ、ＬＣＨを除いたＤｉＬ  ＰＤＵ、ＬＣＨを除いたＤＬ  ＰＤＵ及びＲＣＨ  ＰＤＵのシンボル個数の全てを加算することを特徴とする請求項７記載の無線ＬＡＮのデータ伝送性能分析方法。
【請求項９】
前記ＢＣＨ  ＰＤＵのシンボル個数は、プリアンブル及びＢＣＨのシンボル個数を示し、
前記ＦＣＨ及びＡＣＨのＰＤＵのシンボル個数は、プリアンブル、ＦＣＨ及びＡＣＨのシンボル個数を示し、
前記ＲＣＨ  ＰＤＵのシンボル個数は、プリアンブル及びＲＣＨのシンボル個数を示し、
前記ＬＣＨを除いたＵＬ  ＰＤＵのシンボル個数は、プリアンブル及びＳＣＨのシンボル個数を示し、
前記ＬＣＨを除いたＤｉＬ  ＰＤＵのシンボル個数は、プリアンブル及びＳＣＨのシンボル個数を示し、
前記ＬＣＨを除いたＤＬ  ＰＤＵのシンボル個数は、プリアンブル及びＳＣＨのシンボル個数をそれぞれ示すことを特徴とする請求項８記載の無線ＬＡＮのデータ伝送性能分析方法。
【請求項１０】
前記セクター及びターミナル区分のために割り当てられた部分のシンボル個数を計算する工程は、
前記各ＢＣＨ  ＰＤＵ間に存在するセクタースイッチガード時間の占めるシンボル個数と、
前記各ＦＣＨ及びＡＣＨのＰＤＵ間に存在するセクタースイッチガード時間の占めるシンボル個数と、
前記各ＵＬ  ＰＤＵ間に存在する伝播遅延ガード時間の占めるシンボル個数と、
送信ターミナルの変更時、前記各ＤｉＬ  ＰＤＵ間に存在する伝播遅延ガード時間の占めるシンボル個数と、
最後のＤＬ  ＰＤＵの後に存在する各伝播遅延ガード時間の占めるシンボル個数と、
セクター別各ＲＣＨ  ＰＤＵ間に存在するセクタースイッチガード時間と、セクター当りターミナルを区分するために存在する各ＲＣＨガード時間の占めるシンボル個数の全てを加算することを特徴とする請求項７記載の無線ＬＡＮのデータ伝送性能分析方法。
【発明の詳細な説明】
【技術分野】
【０００１】
本発明は、無線ＬＡＮ（ｌｏｃａｌ  ａｒｅａ  ｎｅｔｗｏｒｋ）通信システムに係るもので、詳しくは、ヨーロッパ方式無線ＬＡＮ通信システムのデータ伝送性能分析方法に関するものである。
【背景技術】
【０００２】
一般に、無線ＬＡＮ通信システムの運用方式は、米国のＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）方式と、ヨーロッパのＥＴＳＩ（Ｅｕｒｏｐｅａｎ  Ｔｅｌｅｃｏｍｍｕｎｉｃａｔｉｏｎ  Ｓｔａｎｄａｒｄｓ  Ｉｎｓｔｉｔｕｔｅ）方式とに大別されるが、前記米国方式にはＩＥＥＥ８０２．１１ａ方式が主に使用され、ヨーロッパ方式にはＥＴＳＩ  ＢＲＡＮ  ＨＩＰＥＲＬＡＮ／２方式（Ｈ／２）が主に使用されている。
【０００３】
本発明は、前記Ｈ／２のヨーロッパ方式無線ＬＡＮ通信システムに関するもので、前記無線ＬＡＮがデータを伝送するＭＡＣ（ｍｅｄｉｕｍ  ａｃｃｅｓｓ  ｃｏｎｔｒｏｌ）フレーム中、使用者データが伝送される領域であるＬＣＨ（ｌｏｎｇ  ｔｒａｎｓｍｉｔ  ｃｈａｎｎｅｌ）のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル個数を正確に分析する方法に関するものである。
【０００４】
図９は一般の無線ＬＡＮ通信システムの構成を示した図で、図示されたように、一般の無線ＬＡＮ通信システムはコンピュータにより構成され、入力されるデータを処理、格納及び出力して、所定領域の範囲で移動しながら設定された経路を通して接続された相手方と無線でデータを送受信する複数のターミナル（ｍｏｂｉｌｅ  ｔｅｒｍｉｎａｌ；ＭＴ）１０、１５と、それら複数のターミナル１０、１５と無線接続されて要請された経路を設定し、該当のデータを無線に送受信するアクセスポイント（ａｃｃｅｓｓ  ｐｏｉｎｔ；ＡＰ）２０と、該アクセスポイント２０により前記各ターミナル１０、１５を他の網に接続させる公衆通信網３０と、を含んで構成されている。
【０００５】
又、前記ターミナル１０は、移動可能なコンピュータにより構成され、自らデータを入力、処理及び出力して、前記アクセスポイント２０を通して無線接続された他のターミナル１５と該当のデータを送受信すると同時に、前記公衆通信網３０を通して他の網のターミナルと接続して該当のデータを送受信する。
【０００６】
このとき、前記アクセスポイント２０に接続される複数のターミナル１０、１５はＬＡＮを構成し、該ＬＡＮは、無線接続によりデータが伝送されるため無線ＬＡＮになる。
【０００７】
一方、前記無線ＬＡＮにおける相手方との接続方式には、アクセスポイント２０が主体になって相手方と接続する方式と、アクセスポイント２０なしに各ターミナル１０、１５を接続する必要がある相手方ターミナル１０、１５と直接接続するアドホック（Ａｄ−Ｈｏｋ）方式とがある。
【０００８】
図１０はヨーロッパ方式無線ＬＡＮのＭＡＣフレームの構成を示した図で、図示されたように、ヨーロッパ方式無線ＬＡＮを通して伝送されるデータは、前記ＭＡＣフレーム単位に送受信される。各ターミナル１０、１５は、無線送受信されるデータを所定大きさのＭＡＣフレーム単位に区分し、一つのＭＡＣフレームは、ヨーロッパ方式のＥＴＳＩ  ＢＲＡＮ  ＨＩＰＥＲＬＡＮ／２の規格によって２ｍｓで、５００個のＯＦＤＭシンボルにより構成される。
【０００９】
又、前記一つのＭＡＣフレームは、シグナルリングＰＤＵ（ｐｒｏｔｏｃｏｌ  ｄａｔａ  ｕｎｉｔ）と、データＰＤＵと、から構成されるが、前記シグナルリングＰＤＵは、アクセスポイント２０がサービス領域内の全てのターミナル１０、１５に公知事項を伝送するＢＣＨ（ｂｒｏａｄｃａｓｔｉｎｇ  ｃｈａｎｎｅｌ）と、ＭＡＣフレームの構造を説明するＦＣＨ（ｆｒａｍｅ  ｃｈａｎｎｅｌ）と、チャンネル割当要請に対する結果を通報するＡＣＨ（ａｃｃｅｓｓ  ｆｅｅｄｂａｃｋ  ｃｈａｎｎｅｌ）と、データ送受信経路であるチャンネルの割当を要請するＲＣＨ（ｒａｎｄｏｍ  ａｃｃｅｓｓ  ｃｈａｎｎｅｌ）と、から構成される。このとき、前記ＢＣＨ、ＦＣＨ及びＡＣＨは前記データＰＤＵの前に位置し、前記ＲＣＨは前記データＰＤＵの後に位置する。
【００１０】
且つ、前記データＰＤＵは、上向伝送データのためのＵＬ（ｕｐ  ｌｉｎｋ）ＰＤＵと、複数のターミナル１０、１５がアクセスポイント２０なしに相互直接接続するアドホック方式に使用されるＤｉＬ（ｄｉｒｅｃｔ  ｌｉｎｋ）ＰＤＵと、下方伝送データのためのＤＬ（ｄｏｗｎ  ｌｉｎｋ）ＰＤＵと、から構成される。このとき、前記ＤｉＬ  ＰＤＵはオプション事項である。
【００１１】
このようなＭＡＣフレームを利用する無線ＬＡＮで使用者データを伝送するＰＤＵはデータＰＤＵで、前記無線ＬＡＮの性能は、伝送される使用者データの大きさ又はシンボル個数によって決定される。
【００１２】
図１１は一般の無線ＬＡＮにおけるデータ伝送性能分析方法を示したフローチャートで、図示されたように、一般のデータ伝送性能分析方法は、単一セクターを使用する無線ＬＡＮでＬＣＨを通して伝送されるＯＦＤＭシンボルの個数を計算し（Ｓ１０、Ｓ２０）、該計算されたシンボルの個数を利用してデータ伝送性能を分析する（Ｓ２０）。
【００１３】
即ち、一般のデータ伝送性能分析方法は、単一セクターを構成する無線ＬＡＮで使用されるＭＡＣフレームのシグナルリングＰＤＵのシンボルの個数を計算し、ＬＣＨを除いたデータＰＤＵのシンボルの個数を計算し、前記一つのＭＡＣフレームに設定されたＯＦＤＭシンボル個数から、前記計算されたシグナルリングＰＤＵのシンボルの個数と、前記計算されたＬＣＨを除いたデータＰＤＵのシンボル個数を減算する（Ｓ１０、Ｓ２０）。次いで、該減算結果値がＬＣＨを通して伝送されるＯＦＤＭシンボルの個数になり、前記減算結果値によりデータ伝送性能が決定される（Ｓ３０）。
【００１４】
このように、一般のデータ伝送性能分析方法は、単一セクターにより構成された無線ＬＡＮ、即ち、方向性のないオムニ（ｏｍｎｉ）方式の無線ＬＡＮで使用されるＭＡＣフレームのデータ伝送性能を分析する。
【特許文献１】韓国特許出願公開第２００２−００４９７９０号明細書
【特許文献２】特開２００１−３３３０２４号公報
【特許文献３】国際公開第０２／１３４２９号パンフレット
【発明の開示】
【発明が解決しようとする課題】
【００１５】
然るに、このような一般のデータ伝送性能分析方法は、サービス領域を所定区域に区分する多重セクターにより構成された無線ＬＡＮでデータ伝送性能を分析する場合、各セクターを区分するセクタースイッチガード時間を反映せずにデータ伝送性能を分析するため、データ伝送性能を正確に分析し得ないという不都合な点があった。
【００１６】
又、一般のデータ伝送性能分析方法は、伝送データをターミナル別に区分するための伝播遅延ガード時間（ｐｒｏｐａｇａｔｉｏｎ  ｄｅｌａｙ  ｇｕａｒｄ  ｔｉｍｅ）の占めるＯＦＤＭシンボル個数を反映しないため、性能分析を正確に行い得ないという不都合な点があった。
【００１７】
又、一般のデータ伝送性能分析方法は、アドホック（Ａｄ−Ｈｏｋ）方式を使用する場合のデータ伝送性能を分析しないことで、ＤｉＬ  ＰＤＵによるＯＦＤＭシンボルが反映されないため、正確な性能を分析し得ないという不都合な点があった。
【００１８】
本発明は、このような従来の課題に鑑みてなされたもので、多重セクターを使用するヨーロッパ方式無線ＬＡＮのデータ伝送性能を正確に分析し得る無線ＬＡＮのデータ伝送性能分析方法を提供することを目的とする。
【００１９】
又、多重セクター無線ＬＡＮ環境で、アドホック（Ａｄ−Ｈｏｋ）方式を使用する場合のデータ伝送性能を正確に分析し得る無線ＬＡＮのデータ伝送性能分析方法を提供することを目的とする。
【課題を解決するための手段】
【００２０】
本発明の無線ＬＡＮのデータ伝送性能分析方法は、一つのＭＡＣ（Ｍｅｄｉｕｍ  ａｃｃｅｓｓ  ｃｏｎｔｒｏｌ）フレームに含まれた全てのセクタースイッチガード時間及び伝播遅延ガード時間のシンボル合計をシーリング関数処理する工程と、前記ＭＡＣフレームに設定されたシンボル個数から、前記シーリング関数処理されたシンボル個数、シグナルリングＰＤＵ（Ｐｒｏｔｏｃｏｌ  ｄａｔａ  ｕｎｉｔ）のシンボル個数及びＬＣＨ（Ｌｏｎｇ  ｔｒａｎｓｍｉｔ  ｃｈａｎｎｅｌ）を除いたデータＰＤＵのシンボル個数を減算する工程と、該減算結果値を利用してデータ伝送性能を表示する工程と、を順次行うことを特徴とする。
【００２１】
本発明の無線ＬＡＮのデータ伝送性能分析方法は、前記シグナルリングＰＤＵのシンボル個数が、前記ＭＡＣフレームにセクター別に形成されたプリアンブルを有する各ＢＣＨ（Ｂｒｏａｄｃａｓｔｉｎｇ  ｃｈａｎｎｅｌ）  ＰＤＵ、プリアンブルを有する各ＦＣＨ（Ｆｒａｍｅ  ｃｈａｎｎｅｌ）及びＡＣＨ（ａｃｃｅｓｓ  ｆｅｅｄｂａｃｋ  ｃｈａｎｎｅｌ）のＰＤＵ及びプリアンブルを有する各ＲＣＨ  ＰＤＵがそれぞれ占めるシンボル個数の合計であることを特徴としてもよい。
【００２２】
本発明の無線ＬＡＮのデータ伝送性能分析方法は、前記ＬＣＨを除いたデータＰＤＵのシンボル個数は、ＬＣＨを除いたＤＬ（ｄｏｗｎ  ｌｉｎｋ）  ＰＤＵのシンボル個数及びＬＣＨを除いたＵＬ（Ｕｐ  ｌｉｎｋ）  ＰＤＵのシンボル個数の全てを含むことを特徴としてもよい。
【００２３】
本発明の無線ＬＡＮのデータ伝送性能分析方法は、ＬＣＨを除いたＤｉＬ  ＰＤＵのシンボル個数を更に含むことを特徴としてもよい。
【００２４】
本発明の無線ＬＡＮのデータ伝送性能分析方法は、前記ＬＣＨを除いたＤＬ  ＰＤＵのシンボル個数が、ターミナル別に受信されるプリアンブル及びＳＣＨのシンボル個数の全てを加算し、前記ＬＣＨを除いたＵＬ  ＰＤＵのシンボル個数は、ターミナル別に送信するプリアンブル及びＳＣＨのシンボル個数の全てを加算し、前記ＬＣＨを除いたＤｉＬ  ＰＤＵのシンボル個数は、プリアンブル及びＳＣＨのシンボル個数の全てを加算することを特徴としてもよい。
【００２５】
本発明の無線ＬＡＮのデータ伝送性能分析方法は、一つのＭＡＣフレームで、シグナルリングのために割り当てられたシンボル個数と、セクター及びターミナル区分のために割り当てられたシンボル個数とを計算する工程と、前記一つのＭＡＣフレームに割り当てられた総シンボル個数から、前記計算されたシンボル個数を減算する工程と、該減算結果によるシンボル個数でデータ伝送性能を表示する工程と、を順次行うことを特徴とする。
【００２６】
本発明の無線ＬＡＮのデータ伝送性能分析方法は、前記計算する工程は、前記一つのＭＡＣフレームから、シグナルリングのために割り当てられた部分とセクター及びターミナル区分のために割り当てられた部分とを検出する工程と、前記シグナルリングのために割り当てられた部分のシンボル個数を計算する工程と、前記セクター及びターミナル区分のために割り当てられた部分のシンボル個数を計算した後、シーリング関数処理する工程と、を順次行うことを特徴としてもよい。
【００２７】
本発明の無線ＬＡＮのデータ伝送性能分析方法は、前記シグナルリングのために割り当てられた部分のシンボル個数を計算する工程は、セクター個数だけ形成されたＢＣＨ  ＰＤＵ、ＦＣＨ及びＡＣＨのＰＤＵ、ＬＣＨを除いたＵＬ  ＰＤＵ、ＬＣＨを除いたＤｉＬ  ＰＤＵ、ＬＣＨを除いたＤＬ  ＰＤＵ及びＲＣＨ  ＰＤＵのシンボル個数の全てを加算することを特徴としてもよい。
【００２８】
本発明の無線ＬＡＮのデータ伝送性能分析方法は、前記ＢＣＨ  ＰＤＵのシンボル個数は、プリアンブル及びＢＣＨのシンボル個数を示し、前記ＦＣＨ及びＡＣＨのＰＤＵのシンボル個数は、プリアンブル、ＦＣＨ及びＡＣＨのシンボル個数を示し、前記ＲＣＨ  ＰＤＵのシンボル個数は、プリアンブル及びＲＣＨのシンボル個数を示し、前記ＬＣＨを除いたＵＬ  ＰＤＵのシンボル個数は、プリアンブル及びＳＣＨのシンボル個数を示し、前記ＬＣＨを除いたＤｉＬ  ＰＤＵのシンボル個数は、プリアンブル及びＳＣＨのシンボル個数を示し、前記ＬＣＨを除いたＤＬ  ＰＤＵのシンボル個数は、プリアンブル及びＳＣＨのシンボル個数をそれぞれ示すことを特徴としてもよい。
【００２９】
本発明の無線ＬＡＮのデータ伝送性能分析方法は、前記セクター及びターミナル区分のために割り当てられた部分のシンボル個数を計算する工程は、前記各ＢＣＨ  ＰＤＵ間に存在するセクタースイッチガード時間の占めるシンボル個数と、前記各ＦＣＨ及びＡＣＨのＰＤＵ間に存在するセクタースイッチガード時間の占めるシンボル個数と、前記各ＵＬ  ＰＤＵ間に存在する伝播遅延ガード時間の占めるシンボル個数と、送信ターミナルの変更時、前記各ＤｉＬ  ＰＤＵ間に存在する伝播遅延ガード時間の占めるシンボル個数と、最後のＤＬ  ＰＤＵの後に存在する各伝播遅延ガード時間の占めるシンボル個数と、セクター別各ＲＣＨ  ＰＤＵ間に存在するセクタースイッチガード時間と、セクター当りターミナルを区分するために存在する各ＲＣＨガード時間の占めるシンボル個数の全てを加算することを特徴としてもよい。
【００３０】
このような目的を達成するため、本発明に係る無線ＬＡＮのデータ伝送性能分析方法においては、一つのＭＡＣフレームに含まれた全てのセクタースイッチガード時間及び伝播遅延ガード時間のシンボル合計をシーリング関数処理する工程と、前記ＭＡＣフレームに設定されたシンボル個数から、前記シーリング関数処理されたシンボル個数、シグナルリングＰＤＵのシンボル個数及びＬＣＨを除いたデータＰＤＵのシンボル個数を減算する工程と、該減算結果値を利用してデータ伝送性能を表示する工程と、を順次行うことを特徴とする。
【００３１】
又、前記シグナルリングＰＤＵのシンボル個数は、前記ＭＡＣフレームにセクター別に形成されたプリアンブルを有する各ＢＣＨ  ＰＤＵ、プリアンブルを有する各ＦＣＨ及びＡＣＨのＰＤＵ並びにプリアンブルを有する各ＲＣＨ  ＰＤＵがそれぞれ占めるシンボル個数の合計であることを特徴とする。
【００３２】
又、前記ＬＣＨを除いたデータＰＤＵのシンボル個数は、ＬＣＨを除いたＤＬ  ＰＤＵのシンボル個数及びＬＣＨを除いたＵＬ  ＰＤＵのシンボル個数の全てを含み、前記ＬＣＨを除いたデータＰＤＵのシンボル個数は、ＬＣＨを除いたＤｉＬ  ＰＤＵのシンボル個数を更に含むことを特徴とする。
【００３３】
又、前記ＬＣＨを除いたＤＬ  ＰＤＵのシンボル個数は、ターミナル別に受信されるプリアンブル及びＳＣＨのシンボル個数の全てを加算し、前記ＬＣＨを除いたＵＬ  ＰＤＵのシンボル個数は、ターミナル別に送信するプリアンブル及びＳＣＨのシンボル個数の全てを加算し、前記ＬＣＨを除いたＤｉＬ  ＰＤＵのシンボル個数は、プリアンブル及びＳＣＨのシンボル個数の全てを加算することを特徴とする。
【００３４】
且つ、本発明に係る無線ＬＡＮのデータ伝送性能分析方法は、一つのＭＡＣフレームで、シグナルリングのために割り当てられたシンボル個数と、セクター及びターミナル区分のために割り当てられたシンボル個数とを計算する工程と、前記一つのＭＡＣフレームに割り当てられた総シンボル個数から、前記計算されたシンボル個数を減算する工程と、該減算結果によりシンボル個数でデータ伝送性能を表示する工程と、を順次行うことを特徴とする。
【００３５】
又、前記計算する工程は、前記一つのＭＡＣフレームから、シグナルリングのために割り当てられた部分と、セクター及びターミナル区分のために割り当てられた部分とを検出する工程と、前記シグナルリングのために割り当てられた部分のシンボル個数を計算する工程と、前記セクター及びターミナル区分のために割り当てられた部分のシンボル個数を計算した後、シーリング関数処理をする工程と、を順次行うことを特徴とする。
【００３６】
又、前記シグナルリングのために割り当てられた部分のシンボル個数を計算する工程は、セクター個数だけ形成されたＢＣＨ  ＰＤＵ、ＦＣＨ及びＡＣＨのＰＤＵ、ＬＣＨを除いたＵＬ  ＰＤＵ、ＬＣＨを除いたＤｉＬ  ＰＤＵ、ＬＣＨを除いたＤＬ  ＰＤＵ並びにＲＣＨ  ＰＤＵのシンボル個数の全てを加算することを特徴とする。
【００３７】
又、前記ＢＣＨ  ＰＤＵのシンボル個数は、プリアンブル及びＢＣＨのシンボル個数を示し、前記ＦＣＨ及びＡＣＨのＰＤＵのシンボル個数は、プリアンブル、ＦＣＨ及びＡＣＨのシンボル個数を示し、前記ＲＣＨ  ＰＤＵのシンボル個数は、プリアンブル及びＲＣＨのシンボル個数を示し、前記ＬＣＨを除いたＵＬ  ＰＤＵのシンボル個数は、プリアンブル及びＳＣＨのシンボル個数を示し、前記ＬＣＨを除いたＤｉＬ  ＰＤＵのシンボル個数は、プリアンブル及びＳＣＨのシンボル個数を示し、前記ＬＣＨを除いたＤＬ  ＰＤＵのシンボル個数は、プリアンブル及びＳＣＨのシンボル個数をそれぞれ示すことを特徴とする。
【００３８】
又、前記セクター及びターミナル区分のために割り当てられた部分のシンボル個数を計算する工程は、前記各ＢＣＨ  ＰＤＵ間に存在するセクタースイッチガード時間の占めるシンボル個数と、前記各ＦＣＨ及びＡＣＨのＰＤＵ間に存在する各セクタースイッチガード時間の占めるシンボル個数と、前記各ＵＬ  ＰＤＵ間に存在する伝播遅延ガード時間の占めるシンボル個数と、送信ターミナルの変更時、前記各ＤｉＬ  ＰＤＵ間に存在する伝播遅延ガード時間の占めるシンボル個数と、最後のＤＬ  ＰＤＵの後に存在する各伝播遅延ガード時間の占めるシンボル個数と、セクター別の各ＲＣＨ  ＰＤＵ間に存在するセクタースイッチガード時間と、セクター当りのターミナルを区分するために存在する各ＲＣＨガード時間の占めるシンボル個数の全てを加算することを特徴とする。
【発明の効果】
【００３９】
以上説明したように、本発明に係る無線ＬＡＮのデータ伝送性能分析方法は、多重セクター無線ＬＡＮのデータ伝送性能分析をするとき、セクタースイッチガード時間及び伝播遅延ガード時間を反映するため、データ伝送性能を正確に分析し得るという効果がある。
【００４０】
又、データ伝送性能を正確に分析するため、多重セクター環境無線ＬＡＮ通信システムの設計を最適化し得るという効果がある。
【発明を実施するための最良の形態】
【００４１】
以下、本発明の実施の形態に対し、図面に基づいて説明する。
【００４２】
図１は多重セクターを使用するヨーロッパ方式無線ＬＡＮのＭＡＣフレームの構成を示した図で、図示されたように、各ＭＡＣフレームは、ＥＴＳＩ  ＢＲＡＮ  ＨＩＰＥＲＬＡＮ／２規格によって２ｍｓで、５００個のＯＦＤＭシンボルにより構成される。又、一つのＭＡＣフレームは、セクター別に形成されたＢＣＨ、ＦＣＨ、ＡＣＨ及びＲＣＨを含み、各ターミナル別に形成されたＤＬ、ＤｉＬ及びＵＬを含んでいる。このとき、前記ＤＬ、ＤｉＬ及びＵＬは使用者がデータを伝送するためのデータＰＤＵで、前記ＢＣＨ、ＦＣＨ、ＡＣＨ及びＲＣＨはシグナルリングのためのシグナルリングＰＤＵであって、前記ＢＣＨ、ＦＣＨ及びＡＣＨは前記データＰＤＵの前に位置し、前記ＲＣＨは前記データＰＤＵの後に位置する。又、多重セクター環境で使用されるＭＡＣフレームは各セクタースイッチガード時間及び伝播遅延ガード時間を含んでいるが、図１には示されていない。
【００４３】
図２は多重セクター環境で形成されるＢＣＨ  ＰＤＵの構造を示した図で、図示されたように、ＢＣＨ  ＰＤＵはセクターの個数だけ形成され、各ＢＣＨ  ＰＤＵはＢＣＨを開始するためのプリアンブル（ｐｒｅａｍｂｌｅ）を含んでいる。又、各ＢＣＨ  ＰＤＵ間にはセクター別に区分するためのセクタースイッチガード時間（ｓｅｃｔｏｒ  ｓｗｉｔｃｈ  ｇｕａｒｄ  ｔｉｍｅ）が与えられるが、ＢＣＨは全てのターミナルが受信するチャンネルである。
【００４４】
このとき、多重セクター環境で形成される前記ＢＣＨ  ＰＤＵのＯＦＤＭシンボル個数は、数式１のように計算される。
【００４５】
【数１】
2004248294.tif 000003
上式中、ＮＳＥＣはアクセスポイント当りのセクター個数、Ｓｇはセクタースイッチガード時間（実際は８００ｎｓ未満であるが、８００ｎｓと仮定する）、ＵＤＯＦＤＭはＯＦＤＭの単位周期時間（４μｓ）、Δ（ｔ）はデルタステップ関数
【００４６】
【表１】
2004248294.tif 000004
をそれぞれ示したものである。
【００４７】
又、前記数式１の９×ＮＳＥＣは、セクター個数だけ形成されたプリアンブル及びＢＣＨによるＯＦＤＭシンボル個数を計算するもので、
【００４８】
【表２】
2004248294.tif 000005
は、多重セクターにより形成されたセクタースイッチガード時間により発生するＯＦＤＭシンボル個数を計算するものである。
【００４９】
即ち、多重セクター環境で形成されるＢＣＨ  ＰＤＵの占めるＯＦＤＭシンボル個数を計算するために、本発明は、プリアンブル及びＢＣＨによるＯＦＤＭシンボル個数だけでなく、セクター単位を区分するための各セクタースイッチガード時間の占めるＯＦＤＭシンボル個数を反映する。
【００５０】
図３は多重セクター環境で形成されるＦＣＨ及びＡＣＨのＰＤＵ構造を示した図で、図示されたように、ＦＣＨ及びＡＣＨのＰＤＵは、該当ＭＡＣフレームの構造を説明するＦＣＨと、チャンネル割当結果の通報を受けるＡＣＨとを連続して一緒に含み、該当のプリアンブルを具備している。又、ＦＣＨ及びＡＣＨのＰＤＵはセクターの個数だけ形成され、各ＦＣＨ及びＡＣＨのＰＤＵ間にはセクタースイッチガード時間が与えられ、最後のＦＣＨ及びＡＣＨのＰＤＵの後には伝播遅延ガード時間が与えられる。
【００５１】
このとき、多重セクター環境で形成されるＦＣＨ及びＡＣＨのＰＤＵによるＯＦＤＭシンボル個数は数式２のように計算される。
【００５２】
【数２】
2004248294.tif 000006
上式中、ＮＩＥは全体セクターのＩＥブロック個数、ＢＰＳＦＣＨはＦＣＨのためにＯＦＤＭシンボル当り符号化されたバイト個数、Ｐｇは伝播遅延ガード時間をそれぞれ示したものである。
【００５３】
又、前記数式２のΔ（ＮＳＥＣ）２＋（２７／ＢＰＳＦＣＨ）×ＮＩＥ＋３×Ｎｓｅｃは多重セクター個数だけ形成されたプリアンブルと、ＦＣＨ及びＡＣＨによるＯＦＤＭシンボル個数とを計算するもので、（Ｓｇ（ＮＳＥＣ−１）＋Ｐｇ）／ＵＤＯＦＤＭは、セクターを区分する複数のセクタースイッチガード時間と、最後のＦＣＨ＋ＡＣＨ  ＰＤＵの後に存在する伝播遅延ガード時間によるＯＦＤＭシンボル個数とを計算するものである。
【００５４】
即ち、多重セクター環境で形成されるＦＣＨ及びＡＣＨのＰＤＵの占めるＯＦＤＭシンボル個数を計算するために、本発明は、プリアンブル及びＦＣＨ＋ＡＣＨによるＯＦＤＭシンボル個数だけでなく、各セクタースイッチガード時間及び伝播遅延ガード時間の占めるＯＦＤＭシンボル個数をそれぞれ計算する。
【００５５】
図４はターミナル別ＤＬ  ＰＤＵの構造を示した図で、図示されたように、ＤＬ  ＰＤＵはターミナル個数だけ具備され、各ＤＬ  ＰＤＵ間にはガード時間がなく、最後のＤＬ  ＰＤＵの後に伝播遅延ガード時間が位置する。
【００５６】
又、各ＤＬ  ＰＤＵは、プリアンブルと、シグナルリングのためのチャンネルとして受信ターミナルの情報を含むＳＣＨ（ｓｈｏｒｔ  ｔｒａｎｓｍｉｔ  ｃｈａｎｎｅｌ）と、前記受信ターミナルに伝送されるデータを含むＬＣＨ（ｌｏｎｇ  ｔｒａｎｓｍｉｔ  ｃｈａｎｎｅｌ）と、から構成される。
【００５７】
このとき、ターミナル個数だけ形成されるＤＬ  ＰＤＵからＬＣＨを除いた部分の占めるＯＦＤＭシンボル個数は、数式３のように計算される。
【００５８】
【数３】
2004248294.tif 000007
上式中、ＮＤＬＳＣＨはＤＬ  ＰＤＵトレインにおけるＳＣＨの総個数、ＮＤＬＭＴはＤＬ  ＰＤＵトレインにおけるターミナル（ＭＴ）の個数をそれぞれ示したものである。
【００５９】
又、前記数式３の２×ＮＤＬＭＴ＋（９／ＢＰＳＳＣＨ）×ＮＤＬＳＣＨは、ターミナル個数だけ形成されるＤＬ  ＰＤＵのプリアンブルと、シグナルリングのための各ＳＣＨによるＯＦＤＭシンボル個数とを計算するもので、（Ｐｇ／ＵＤＯＦＤＭ）は、最後のＤＬ  ＰＤＵの後に存在する伝播遅延ガード時間によるＯＦＤＭシンボル個数を計算するものである。
【００６０】
即ち、ターミナル個数だけ形成されるＤＬ  ＰＤＵからＬＣＨを除いた部分が占めるＯＦＤＭシンボル個数を計算するために、本発明は、各プリアンブル及びＳＣＨによるＯＦＤＭシンボル個数だけでなく、最後のＤＬ  ＰＤＵの後に存在する伝播遅延ガード時間によるＯＦＤＭシンボル個数を計算する。
【００６１】
図５はターミナル別ＤｉＬ  ＰＤＵの構造を示した図で、図示されたように、ＤｉＬ  ＰＤＵは、無線ＬＡＮを構成する複数のターミナルがアクセスポイント（ＡＰ）を経由せずに、相手方のターミナルと直接無線接続してデータ通信を行うアドホック方式の場合に形成される。
【００６２】
又、ＤｉＬ  ＰＤＵは、伝送開始を表示するプリアンブルと、発信地及び目的地などのシグナルリング情報が含まれるＳＣＨと、伝送しようとするデータが含まれるＬＣＨと、から構成され、全てのＤｉＬ  ＰＤＵ間に伝播遅延ガード時間が位置するものでなく、データを伝送するターミナル、即ち、発信地の変更された各ＤｉＬ  ＰＤＵ間に伝播遅延ガード時間が位置される。例えば、発信地が第１ターミナル（ＭＴ１）で、受信地の相互異なる各ＤｉＬ  ＰＤＵが連続して形成された場合、それら各ＤｉＬ  ＰＤＵ間には伝播遅延ガード時間が位置せずに、発信地の相互異なる各ＤｉＬ  ＰＤＵ間に伝播遅延ガード時間が位置される。
【００６３】
このとき、ターミナル別に形成されるＤｉＬ  ＰＤＵからＬＣＨを除いた部分の占めるＯＦＤＭシンボルの個数は、数式４のように計算される。
【００６４】
【数４】
2004248294.tif 000008
上式中、ＮＤｉＬＳＣＨはＤｉＬ  ＰＤＵトレインにおけるＳＣＨの総個数、ＮＤｉＬＭＴはＤｉＬ  ＰＤＵトレインにおけるターミナル（ＭＴ）の個数、ＮＤｉＬＭＴ−Ｄｉｆｆは連続された二つのターミナル間でインデックスの異なる送信機の個数をそれぞれ示したものである。
【００６５】
又、前記数式４の４×ＮＤｉＬＭＴ＋（９／ＢＰＳＳＣＨ）×ＮＤｉＬＳＣＨはターミナル別に形成されるＤｉＬ  ＰＤＵの各プリアンブルと、シグナルリングのための各ＳＣＨによるＯＦＤＭシンボル個数とを計算するもので、（ＮＤｉＬＭＴ−Ｄｉｆｆ＋１）Ｐｇ／ＵＤＯＦＤＭはデータを送信するターミナル（ＭＴ）が変更される度毎に生成される伝播遅延ガード時間によるＯＦＤＭシンボル個数を計算するものである。
【００６６】
即ち、ターミナル別に形成されるＤｉＬ  ＰＤＵからＬＣＨを除いた部分の占めるＯＦＤＭシンボルの個数を計算するために、本発明は、各プリアンブル及びＳＣＨによるＯＦＤＭシンボル個数だけでなく、データを送信するターミナル（ＭＴ）が変更される度毎に生成される各伝播遅延ガード時間によるＯＦＤＭシンボル個数を計算する。
【００６７】
図６はターミナル別ＵＬ  ＰＤＵの構造を示した図で、図示されたように、複数のターミナルがアクセスポイントにデータを送信する場合、使用される上向リンク（ＵＬ）ＰＤＵは、ターミナルの個数だけ具備され、各ＵＬ  ＰＤＵは相互伝播遅延ガード時間により区分される。
【００６８】
又、ＵＬ  ＰＤＵは、プリアンブルと、シグナルリングチャンネルとしてターミナルの情報を含むＳＣＨと、目的地に伝送されるデータを含むＬＣＨと、から構成される。
【００６９】
このとき、ターミナル別に形成されるＵＬ  ＰＤＵからＬＣＨを除いた部分が占めるＯＦＤＭシンボル個数は、数式５のように計算される。
【００７０】
【数５】
2004248294.tif 000009
上式中、ＮＵＬＳＣＨはＵＬ  ＰＤＵトレインにおけるＳＣＨの総個数、ＮＵＬＭＴはＵＬ  ＰＤＵトレインにおけるターミナルの個数、Ｐｇは伝播遅延ガード時間、ＰＲＥＵＬはＵＬプリアンブルの個数（短いプリアンブルを３、長いプリアンブルを４に設定する）、ＢＰＳＳＣＨはＳＣＨのためにＯＦＤＭシンボル当り符号化されるバイト個数をそれぞれ示したものである。
【００７１】
又、前記数式５のＰＲＥＵＬ×ＮＵＬＭＴ＋（９／ＢＰＳＳＣＨ）×ＮＵＬＳＣＨはターミナル別に形成されるＵＬ  ＰＤＵのプリアンブルと、シグナルリングのためのＳＣＨによるＯＦＤＭシンボル個数とを計算するもので、
【００７２】
【表３】
2004248294.tif 000010
はＵＬ  ＰＤＵでターミナル（ＭＴ）単位を区分するための各伝播遅延ガード時間によるＯＦＤＭシンボル個数を計算するものである。
【００７３】
即ち、ターミナル別に形成されるＵＬ  ＰＤＵからＬＣＨを除いた部分の占めるＯＦＤＭシンボル個数を計算するために、本発明は、各プリアンブル及びＳＣＨによるＯＦＤＭシンボル個数だけでなく、ターミナル（ＭＴ）単位を区分するための各伝播遅延ガード時間によるＯＦＤＭシンボル個数を計算する。
【００７４】
図７は多重セクター環境で形成されるＲＣＨ  ＰＤＵの構造を示した図で、図示されたように、複数のターミナルのチャンネル割当要請信号をアクセスポイントに伝送するための各ＲＣＨ  ＰＤＵは、セクタースイッチガード時間によりセクター単位に区分される。又、各セクターのＲＣＨ  ＰＤＵは、各ＲＣＨガード時間によりターミナル（ＭＴ）単位に区分される。このとき、各ＲＣＨ  ＰＤＵは、プリアンブル及びＲＣＨを含んでいる。
【００７５】
このとき、多重セクター環境で形成されるＲＣＨ  ＰＤＵのＯＦＤＭシンボル個数は、数式６のように計算される。
【００７６】
【数６】
2004248294.tif 000011
上式中、ＮＲＣＨは全体セクターにおけるＲＣＨの総個数、ＰＲＥＲＣＨはＲＣＨのためのプリアンブル個数（短いプリアンブルを３、長いプリアンブルを４に設定する）をそれぞれ示したものである。
【００７７】
又、前記数式６の（ＰＲＥＲＣＨ＋３）×ＮＲＣＨは多重セクター環境で形成されるＲＣＨ  ＰＤＵのプリアンブルと、ＲＣＨによるＯＦＤＭシンボル個数とを計算するもので、
【００７８】
【表４】
2004248294.tif 000012
は各セクターを区分するためのセクタースイッチガード時間と、各ターミナルのＲＣＨを区分するためのＲＣＨガード時間によるＯＦＤＭシンボル個数とを計算するものである。
【００７９】
即ち、多重セクター環境で形成されるＲＣＨ  ＰＤＵのＯＦＤＭシンボル個数を計算するために、本発明は、各ターミナルにより発生するプリアンブルと、ＲＣＨによるＯＦＤＭシンボル個数だけでなく、各セクターを区分するためのセクタースイッチガード時間と、各ターミナルのＲＣＨを区分するためのＲＣＨガード時間が占めるＯＦＤＭシンボル個数とを計算する。
【００８０】
図８は本発明に係る無線ＬＡＮのデータ伝送性能分析方法を示したフローチャートで、図示されたように、本発明に係る無線ＬＡＮのデータ伝送性能分析方法は、ＭＡＣフレーム単位にデータを伝送する無線ＬＡＮの性能を分析する場合（Ｓ１００）、一つのＭＡＣフレームに含まれたセクターを区分するための各セクタースイッチガード時間と、ターミナルを区分するための各伝播遅延ガード時間の占めるＯＦＤＭシンボル個数とをシーリング関数（Ｃｅｉｌｉｎｇ  ｆｕｎｃｔｉｏｎ）により計算する（Ｓ１１０）。本発明は、前記一つのＭＡＣフレームに設定されたＯＦＤＭシンボル個数から、ＬＣＨを除いたデータＰＤＵのＯＦＤＭシンボル個数と、シグナルリングＰＤＵのＯＦＤＭシンボル個数だけでなく、前記シーリング関数により計算されたＯＦＤＭシンボル個数を減算する（Ｓ１２０）。よって、本発明は、多重セクター環境でＭＡＣフレームに形成される各セクタースイッチガード時間と、ターミナル区分のためにＭＡＣフレームに形成される各伝播遅延ガード時間の占めるＯＦＤＭシンボル個数を反映することで、多重セクターで運営される無線ＬＡＮのデータ伝送性能を正確に分析することができる（Ｓ１３０）。
【００８１】
このとき、多重セクター環境の無線ＬＡＮで形成される一つのＭＡＣフレームに割り当てられるＯＦＤＭシンボル個数は既に特定値に設定され、その一つのＭＡＣフレームは、シグナルリングのためのチャンネル及び使用者がデータを伝送するためのチャンネルだけでなく、セクター別に各チャンネルを区分するためのセクタースイッチガード時間と、ターミナル別に各チャンネルＰＤＵを区分するための伝播遅延ガード時間と、ＲＣＨガード時間と、から構成される。このような多重セクター環境の無線ＬＡＮのデータ伝送性能は、多重セクター環境で形成される一つのＭＡＣフレームにより伝送されるデータの量で示すことができる。従って、本発明は、前記一つのＭＡＣフレームのＬＣＨを通して伝送されるデータの量を測定するために、まず、前記一つのＭＡＣフレームからＬＣＨを除いた残りの部分に割り当てられる全てのＯＦＤＭシンボル個数を計算した後、該計算されたＯＦＤＭシンボル個数を前記一つのＭＡＣフレームに割り当てられた特定値から減算することで、該減算結果値は前記一つのＭＡＣフレームのＬＣＨを通して伝送されるＯＦＤＭシンボル個数となる。
【００８２】
又、前記一つのＭＡＣフレームからＬＣＨを除いた残りの部分に割り当てられるＯＦＤＭシンボル個数は、使用者データを含まない部分に割り当てられるＯＦＤＭシンボル個数で、数式１〜数式６により計算されたＯＦＤＭシンボル個数の全てを加算することで得られる（このとき、数式４が反映されると、アドホック方式の場合を含んで無線ＬＡＮのデータ伝送性能を分析する場合で、数式４が反映されないと、アドホック方式の場合を含まずに無線ＬＡＮのデータ伝送性能を分析する場合である）。
【００８３】
即ち、本発明は、多重セクター環境で使用される一つのＭＡＣフレームのＬＣＨの占める各ＯＦＤＭ個数を数式７により計算し、例えば、一つのＭＡＣフレームに設定された総ＯＦＤＭシンボル個数は５００とする。
【００８４】
【数７】
2004248294.tif 000013
このとき、本発明は、前記セクターを区分するための各セクタースイッチガード時間（Ｓｇ）、ターミナルを区分するための各伝播遅延ガード時間（Ｐｇ）及びＲＣＨを相互区分するためのＲＣＨガード時間（Ｐｇと同様である）の全てを加算した値をシーリング関数処理することで、ＯＦＤＭシンボル個数を算出する。
【００８５】
且つ、前記伝播遅延ガード時間は、ＥＴＳＩ  ＢＲＡＮ  ＨＩＰＥＲＬＡＮ／２のＭＡＣレイヤーの規格によって、２μｓ、２．８μｓ、４μｓ及び１２μｓの４種類の値中何れか一つを使用し、セクタースイッチガード時間は８００ｎｓ（０．８μｓ）と規定し、又、ＯＦＤＭシンボルの長さは４μｓにする。よって、前記各セクタースイッチガード時間、伝播遅延ガード時間及びＲＣＨガード時間の合計が常に４の倍数になるという保障はないため、シーリング関数処理によりデータ伝送性能分析が行われてＯＦＤＭシンボル単位になる。
【００８６】
本発明は、一般の無線ＬＡＮデータ伝送性能分析方法では反映されなかった各セクタースイッチガード時間、伝播遅延ガード時間及びＲＣＨガード時間を、使用者データを含まない部分に包含してデータ伝送性能を分析するため、多重セクター環境における無線ＬＡＮのデータ伝送性能を正確に分析することができる。
【００８７】
又、このようなデータ伝送性能の正確な分析は、多重セクター環境無線ＬＡＮ通信システムの設計を最適化することができる。
一つのＭＡＣフレームに含まれた全てのセクタースイッチガード時間及び伝播遅延ガード時間のシンボル合計をシーリング関数処理する工程と、前記ＭＡＣフレームに設定されたシンボル個数から、前記シーリング関数処理されたシンボル個数、シグナルリングＰＤＵのシンボル個数及びＬＣＨを除いたデータＰＤＵのシンボル個数を減算する工程と、該減算結果値を利用してデータ伝送性能を表示する工程と、を順次行って無線ＬＡＮのデータ伝送性能を分析する。
【００８８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００８９】
【図１】本発明に係る多重セクターを使用するヨーロッパ方式無線ＬＡＮのＭＡＣフレームの構成を示した図である。
【図２】本発明に係る多重セクター環境で形成されるＢＣＨ  ＰＤＵの構造を示した図である。
【図３】本発明に係る多重セクター環境で形成されるＦＣＨ及びＡＣＨのＰＤＵ構造を示した図である。
【図４】本発明に係るターミナル別ＤＬ  ＰＤＵの構造を示した図である。
【図５】本発明に係るターミナル別ＤｉＬ  ＰＤＵの構造を示した図である。
【図６】本発明に係るターミナル別ＵＬ  ＰＤＵの構造を示した図である。
【図７】本発明に係る多重セクター環境で形成されるＲＣＨ  ＰＤＵの構造を示した図である。
【図８】本発明に係る無線ＬＡＮのデータ伝送性能分析方法を示したフローチャートである。
【図９】一般の無線ＬＡＮ通信システムの構成を示した図である。
【図１０】ヨーロッパ方式無線ＬＡＮのＭＡＣフレームの構成を示した図である。
【図１１】一般の無線ＬＡＮにおけるデータ伝送性能分析方法を示したフローチャートである。
【符号の説明】
【００９０】
１０  ターミナル
１５  ターミナル
２０  アクセスポイント
【図１】
2004248294.tif 000014
【図２】
2004248294.tif 000015
【図３】
2004248294.tif 000016
【図４】
2004248294.tif 000017
【図５】
2004248294.tif 000018
【図６】
2004248294.tif 000019
【図７】
2004248294.tif 000020
【図８】
2004248294.tif 000021
【図９】
2004248294.tif 000022
【図１０】
2004248294.tif 000023
【図１１】
2004248294.tif 000024